(57)【要約】【課題】印刷が施されても研磨効果を損なわない爪の手入れ器具、及びこのような爪の手入れ器具の製造方法を提供する。【解決手段】爪の手入れ器具１は、合成樹脂板である基体２と、基体２の両方の面にそれぞれ接着剤で固着されると共に、研磨粒子で構成されたバッファ層３を備え、基体２の一方の面には、２０〜８０μｍの粒径を有する第１の研磨粒子で構成された第１のバッファ層３Ａが固着され、基体２の他方の面には、１〜１０μｍの粒径を有する第２の研磨粒子で構成された第２のバッファ層３Ｂが固着されている。爪の手入れ器具１は、バッファ層３（第１のバッファ層３Ａと第２のバッファ層３Ｂ）の上面に、０．８〜２０ｍｍ２／ｓの動粘度を有するインクを用いて、０．００５〜１ｍｍのノズル直径を有するインクジェットプリンタで印刷して形成された印刷層４を備える。【選択図】図２
2013075158.tif 000002
【特許請求の範囲】
【請求項１】
基体と、
該基体の少なくとも一つの面より上に形成されると共に、研磨粒子を含むバッファ層と、
該バッファ層より上に、０．８〜２０ｍｍ２／ｓの動粘度を有するインクを用いて、０．００５〜１ｍｍのノズル直径を有するインクジェットプリンタで印刷して形成された印刷層とを備える
爪の手入れ器具。
【請求項２】
前記印刷層は、１．５〜４ｍｍ２／ｓの動粘度を有するインクを用いて、０．０２〜０．０３ｍｍのノズル直径を有するインクジェットプリンタで印刷して形成された
請求項１に記載の爪の手入れ器具。
【請求項３】
前記基体の一方の面より上には、２０〜８０μｍの粒径を有する第１の研磨粒子を含む第１のバッファ層が形成され、
前記基体の他方の面より下には、１〜１０μｍの粒径を有する第２の研磨粒子を含む第２のバッファ層が形成された
請求項１または請求項２に記載の爪の手入れ器具。
【請求項４】
基体の少なくとも一つの面より上に、研磨粒子を含むバッファ層を形成する工程と、
該バッファ層より上に、０．８〜２０ｍｍ２／ｓの動粘度を有するインクを用いて、０．００５〜１ｍｍのノズル直径を有するインクジェットプリンタで印刷して印刷層を形成する工程とを備える
爪の手入れ器具の製造方法。
【請求項５】
１．５〜４ｍｍ２／ｓの動粘度を有するインクを用いて、０．０２〜０．０３ｍｍのノズル直径を有するインクジェットプリンタで印刷して前記印刷層を形成する
請求項４に記載の爪の手入れ器具の製造方法。
【発明の詳細な説明】
【技術分野】
【０００１】
本発明は爪の手入れ器具、及び爪の手入れ器具の製造方法に関する。詳しくは、爪を削ったり磨いたりする爪の手入れ器具、及び爪の手入れ器具の製造方法に係るものである。
【背景技術】
【０００２】
ファイル（爪やすり）、エメリーボード（爪やすり）またはバッファ（爪磨き）等で知られる手足の爪の手入れ器具は、エチレン酢酸ビニルコポリマー（ＥＶＡ）、ポリスチレン、ウレタン、ポリエチレンなどで構成された合成樹脂板に、各種研磨粒子を付着塗布されたものが使用されている。
【０００３】
また、このような爪の手入れ器具の表面には、広告文字、模様などが印刷されていることが多く、従来、印刷方法としては次のような方法が使用されている。
【０００４】
例えば、特許文献１には、シルクスクリーン印刷を利用した手の爪の美容器具が記載されており、特許文献２には、シルクスクリーン印刷を利用した手爪用の手入れ用バッファの製造方法が記載されており、特許文献３には、転写印刷を利用した合成樹脂製手爪用の手入れ具が記載されている。
【先行技術文献】
【特許文献】
【０００５】
【特許文献１】韓国実用新案登録第０１７５４６６号
【特許文献２】韓国特許登録第０３６７７２８号
【特許文献３】韓国実用新案登録第０３３８７５１号
【発明の概要】
【発明が解決しようとする課題】
【０００６】
しかしながら、シルクスクリーン印刷または転写印刷は、印刷によって研磨材層が覆われて手入れ器具本来の機能が低下するという問題があった。
【０００７】
本発明は、以上の点に鑑みて創案されたものであり、印刷が施されても研磨効果を損なわない爪の手入れ器具、及びこのような爪の手入れ器具の製造方法を提供することを目的とする。
【課題を解決するための手段】
【０００８】
上記の目的を達成するために、本発明の爪の手入れ器具は、基体と、該基体の少なくとも一つの面より上に形成されると共に、研磨粒子を含むバッファ層と、該バッファ層より上に、０．８〜２０ｍｍ２／ｓの動粘度を有するインクを用いて、０．００５〜１ｍｍのノズル直径を有するインクジェットプリンタで印刷して形成された印刷層とを備える。
【０００９】
また、上記の目的を達成するために、本発明の爪の手入れ器具の製造方法は、基体の少なくとも一つの面より上に、研磨粒子を含むバッファ層を形成する工程と、該バッファ層より上に、０．８〜２０ｍｍ２／ｓの動粘度を有するインクを用いて、０．００５〜１ｍｍのノズル直径を有するインクジェットプリンタで印刷して印刷層を形成する工程とを備える。
【００１０】
ここで、０．８〜２０ｍｍ２／ｓの動粘度を有するインクを用いるので、インクジェットプリンタのノズル直径を０．００５〜１ｍｍに設定することができる。
また、ノズル直径が０．００５〜１ｍｍなので、１滴のインクの体積が小さく、インクがバッファ層に浸透しやすい。
【００１１】
なお、本発明において、バッファ層は、基体に直接形成されるだけでなく、他の層を介して基体の少なくとも一つの面に形成される場合も含まれるものとする。
同様に、本発明において、印刷層は、バッファ層の上面に直接形成されるだけでなく、他の層を介してバッファ層の上面に形成される場合も含まれるものとする。
【００１２】
また、本発明において、「研磨粒子を含むバッファ層」とは、例えば、「研磨粒子のみで構成されたバッファ層」、「繊維もしくは樹脂を有し、研磨粒子が繊維もしくは樹脂に含浸したバッファ層」、「繊維もしくは樹脂を有し、少なくとも繊維もしくは樹脂の表面に研磨粒子が固着したバッファ層」である。
【００１３】
また、ここで言う「繊維」とは、例えばシルク繊維、ポリエステル繊維、不織布が挙げられ、「樹脂」とは、例えばポリエステル樹脂が挙げられる。
【００１４】
また、本発明の爪の手入れ器具において、印刷層は、１．５〜４ｍｍ２／ｓの動粘度を有するインクを用いて、０．０２〜０．０３ｍｍのノズル直径を有するインクジェットプリンタで印刷して形成されたものとすることができる。
【００１５】
さらに、本発明の爪の手入れ器具において、基体の一方の面より上には、２０〜８０μｍの粒径を有する第１の研磨粒子を含む第１のバッファ層が形成され、基体の他方の面より下には、１〜１０μｍの粒径を有する第２の研磨粒子を含む第２のバッファ層が形成されたものとすることができる。
【００１６】
この場合、第１のバッファ層を用いて爪を削り、第２のバッファ層を用いて爪を磨くことができるので、多様な爪の手入れを実施できる。
【００１７】
また、本発明の爪の手入れ器具の製造方法において、１．５〜４ｍｍ２／ｓの動粘度を有するインクを用いて、０．０２〜０．０３ｍｍのノズル直径を有するインクジェットプリンタで印刷して印刷層を形成するものとすることができる。
【発明の効果】
【００１８】
本発明に係る爪の手入れ器具は、印刷が施されても研磨効果を損なわない。
本発明に係る爪の手入れ器具の製造方法は、研磨効果を損なわずに印刷して爪の手入れ器具を製造できる。
【図面の簡単な説明】
【００１９】
【図１】本発明の爪の手入れ器具の一例を示す概略図である。
【図２】図１に示した本発明の爪の手入れ器具の概略分解断面図である。
【図３】本発明の爪の手入れ器具の他の例を示す概略分解断面図である。
【発明を実施するための形態】
【００２０】
以下、本発明の実施の形態について図面を参照しながら説明し、本発明の理解に供する。
図１は、本発明の爪の手入れ器具の一例を示す概略図である。また、図２は、図１に示した本発明の爪の手入れ器具の概略分解断面図である。
【００２１】
図２に示す本発明の爪の手入れ器具１は、エチレン酢酸ビニルコポリマー（ＥＶＡ）、ポリスチレン、ウレタン、ポリエチレンなどで構成された合成樹脂板である基体２を備える。
また、このような基体２は、ある程度の柔軟性を有する。
【００２２】
また、本発明の爪の手入れ器具１は、基体２の両方の面にそれぞれ接着剤で固着されると共に、研磨粒子で構成されたバッファ層３を備える。
ここで、基体２の一方の面には、２０〜８０μｍの粒径を有する第１の研磨粒子で構成された第１のバッファ層３Ａが固着され、基体２の他方の面には、１〜１０μｍの粒径を有する第２の研磨粒子で構成された第２のバッファ層３Ｂが固着されている。
【００２３】
また、バッファ層３（第１のバッファ層３Ａと第２のバッファ層３Ｂ）を構成する研磨粒子は、例えば、酸化アルミニウム（アルミナ）、酸化クロム、酸化セリウム、カーボンランダム、珪藻土、ダイヤモンド、セラミック類、炭化ケイ素などである。
また、研磨粒子の粒径は特に限定されないが、例えば、０．３〜５０μｍ、さらに、１〜５０μｍ、さらに、１〜１０μｍ、さらに、３〜５μｍ、さらに、１〜２μｍの範囲が挙げられる。
【００２４】
また、研磨粒子を固着する接着剤は、例えば、酢酸ビニル、アクリル、ウレタン、スチレン、エチレンなどの柔軟な合成樹脂である。
【００２５】
さらに、本発明の爪の手入れ器具１は、バッファ層３（第１のバッファ層３Ａと第２のバッファ層３Ｂ）の上面に、０．８〜２０ｍｍ２／ｓの動粘度を有するインクを用いて、０．００５〜１ｍｍのノズル直径を有するインクジェットプリンタで印刷して形成された印刷層４を備える。
【００２６】
ここで、第１のバッファ層３Ａへの印刷に使用するインクの動粘度及びノズル直径と、第２のバッファ層３Ｂへの印刷に使用するインクの動粘度及びノズル直径は、互いに同じでも異なってもよい。
【００２７】
また、１．５〜４ｍｍ２／ｓの動粘度を有するインクや、０．０２〜０．０３ｍｍのノズル直径を有するインクジェットプリンタを用いることもできる。
【００２８】
また、印刷に用いられるインクは、０．８〜２０ｍｍ２／ｓの動粘度を有するインクであればどのようなインクでもよく、例えば、顔料インク、染料インクを使用することができる。
【００２９】
また、印刷に用いられるインクに含まれる溶剤も、０．８〜２０ｍｍ２／ｓの動粘度を有するインクであれば、どのような溶剤でもよく、例えば、極性溶剤、非極性溶剤が含まれていてもよい。
【００３０】
また、極性溶剤としては、例えば、クロロホルム、クロロベンゼン、トルエンが挙げられる。
また、非極性溶剤としては、例えば、アルコール類、エステル類、エーテル類、ケトン類、脂肪族類のガソリンや石油ベンゼンが挙げられる。
【００３１】
ここで、本発明の爪の手入れ器具が、基体と、基体の少なくとも一つの面より上に形成されると共に、研磨粒子を含むバッファ層と、バッファ層より上に、０．８〜２０ｍｍ２／ｓの動粘度を有するインクを用いて、０．００５〜１ｍｍのノズル直径を有するインクジェットプリンタで印刷して形成された印刷層とを備えるのであれば、必ずしも基体の一方の面には、２０〜８０μｍの粒径を有する第１の研磨粒子で構成された第１のバッファ層が固着され、基体の他方の面には、１〜１０μｍの粒径を有する第２の研磨粒子で構成された第２のバッファ層が固着されていなくてもよい。
【００３２】
しかし、基体の一方の面には、２０〜８０μｍの粒径を有する第１の研磨粒子で構成された第１のバッファ層が固着され、基体の他方の面には、１〜１０μｍの粒径を有する第２の研磨粒子で構成された第２のバッファ層が固着されていれば、第１のバッファ層を用いて爪を削り、第２のバッファ層を用いて爪を磨くことができるので、多様な爪の手入れを実施でき、好ましい。
【００３３】
また、本発明の爪の手入れ器具が、基体と、基体の少なくとも一つの面より上に形成されると共に、研磨粒子を含むバッファ層と、バッファ層より上に、０．８〜２０ｍｍ２／ｓの動粘度を有するインクを用いて、０．００５〜１ｍｍのノズル直径を有するインクジェットプリンタで印刷して形成された印刷層とを備えるのであれば、必ずしもバッファ層は、基体に直接固着されていなくてもよく、スポンジ層など他の層を介して、基体の少なくとも一方の面に固着されてもよい。
【００３４】
また、本発明の爪の手入れ器具が、基体と、基体の少なくとも一つの面より上に形成されると共に、研磨粒子を含むバッファ層と、バッファ層より上に、０．８〜２０ｍｍ２／ｓの動粘度を有するインクを用いて、０．００５〜１ｍｍのノズル直径を有するインクジェットプリンタで印刷して形成された印刷層とを備えるのであれば、必ずしも基体の両方の面にバッファ層を備えていなくてもよく、片面だけでもよい。
【００３５】
また、基体の片面にだけバッファ層が形成されるときに、本発明の爪の手入れ器具が、基体と、基体の少なくとも一つの面より上に形成されると共に、研磨粒子を含むバッファ層と、バッファ層より上に、０．８〜２０ｍｍ２／ｓの動粘度を有するインクを用いて、０．００５〜１ｍｍのノズル直径を有するインクジェットプリンタで印刷して形成された印刷層とを備えるのであれば、このバッファ層は、２０〜８０μｍの粒径を有する第１の研磨粒子で構成された領域と、１〜１０μｍの粒径を有する第２の研磨粒子で構成された領域とを有していてもよい。
【００３６】
図３は、本発明の爪の手入れ器具の他の例を示す概略分解断面図である。
図３に示す本発明の爪の手入れ器具１は、エチレン酢酸ビニルコポリマー（ＥＶＡ）、ポリスチレン、ウレタン、ポリエチレンなどで構成された合成樹脂板である基体２を備える。
【００３７】
また、本発明の爪の手入れ器具１は、基体２の一方の面に固着されたスポンジ層５を備える。
さらに、本発明の爪の手入れ器具１は、スポンジ層５の上に形成されると共に、研磨粒子が混ぜられたシルク繊維を有するシルク繊維層（バッファ層の一例である。）６を備える。
【００３８】
また、本発明の爪の手入れ器具１は、シルク繊維層６の上に、０．８〜２０ｍｍ２／ｓの動粘度を有するインクを用いて、０．００５〜１ｍｍのノズル直径を有するインクジェットプリンタで印刷して形成された印刷層４を備える。
【００３９】
また、バッファ層が研磨粒子を含んでいれば、バッファ層の態様はどのようなものでもよく、例えば、「研磨粒子を含んだ樹脂組成物が含浸したシルク繊維を有するシルク繊維層」、「研磨粒子が混ぜられた、シルク繊維以外の繊維を有する繊維層」、「研磨粒子を含んだ樹脂組成物が含浸した、シルク繊維以外の繊維を有する繊維層」、「研磨粒子が少なくとも表面に固着したポリエステル樹脂を有するポリエステル樹脂層」、「研磨粒子が少なくとも表面に固着した、ポリエステル以外の樹脂を有する樹脂層」をバッファ層とすることができる。
【００４０】
次に、図２に示した本発明の爪の手入れ器具の製造方法を説明する。
最初に、合成樹脂板である基体２の一方の面に、２０〜８０μｍの粒径を有する第１の研磨粒子で構成された第１のバッファ層３Ａを接着剤で固着する。
また、基体２の他方の面には、１〜１０μｍの粒径を有する第２の研磨粒子で構成された第２のバッファ層３Ｂを接着剤で固着する。
【００４１】
次に、バッファ層３（第１のバッファ層３Ａと第２のバッファ層３Ｂ）の上面に、０．８〜２０ｍｍ２／ｓの動粘度を有するインクを用いて、０．００５〜１ｍｍのノズル直径を有するインクジェットプリンタで印刷して印刷層４を形成する。
【００４２】
また、１．５〜４ｍｍ２／ｓの動粘度を有するインクを用いて、０．０２〜０．０３ｍｍのノズル直径を有するインクジェットプリンタで印刷して印刷層を形成することもできる。
【００４３】
また、本発明の爪の手入れ器具の製造方法が、基体の少なくとも一つの面より上に、研磨粒子を含むバッファ層を形成する工程と、バッファ層より上に、０．８〜２０ｍｍ２／ｓの動粘度を有するインクを用いて、０．００５〜１ｍｍのノズル直径を有するインクジェットプリンタで印刷して印刷層を形成する工程とを備えるのであれば、必ずしも、基体の両方の面にバッファ層を形成しなくてもよい。
【００４４】
以上のように、本発明の爪の手入れ器具や、本発明の爪の手入れ器具の製造方法は、印刷層が、０．８〜２０ｍｍ２／ｓの動粘度を有するインクを用いて、０．００５〜１ｍｍのノズル直径を有するインクジェットプリンタで印刷して形成されるので、１滴のインクの体積が小さく、インクがバッファ層に浸透しやすい。
【００４５】
従って、インクがバッファ層を覆うことがないので、本発明の爪の手入れ器具は、印刷が施されても研磨効果を損なわないし、また、本発明の爪の手入れ器具の製造方法は、研磨効果を損なわずに印刷して爪の手入れ器具を製造できる。
【００４６】
また、本発明の爪の手入れ器具は、基体の一方の面には、２０〜８０μｍの粒径を有する第１の研磨粒子で構成された第１のバッファ層が固着され、基体の他方の面には、１〜１０μｍの粒径を有する第２の研磨粒子で構成された第２のバッファ層が固着されているので、第１のバッファ層を用いて爪を削り、第２のバッファ層を用いて爪を磨くことができ、多様な爪の手入れを実施できる。
【符号の説明】
【００４７】
１    爪の手入れ器具
２    基体
３    バッファ層
３Ａ  第１のバッファ層
３Ｂ  第２のバッファ層
４    印刷層
５    スポンジ層
６    シルク繊維層
【図１】
2013075158.tif 000003
【図２】
2013075158.tif 000004
【図３】
2013075158.tif 000005